(57)【要約】【課題】安定的で極めて実用性に秀れた吊足場形成部材の提供。【解決手段】踏板１と該踏板１が設けられる枠部材２とから成り、適宜な構造物に吊下部材を介して吊下げられた前記枠部材２同士を連続的に連設して所定範囲に吊足場を形成する吊足場形成部材であって、前記枠部材２の連設方向一端側にはクランプ部４を、前記枠部材２の連設方向他端側には被クランプ部３を設け、隣接する前記各枠部材２の前記被クランプ部３を前記クランプ部４で挟持固定することで前記枠部材２同士を連結固定し得るように構成する。【選択図】図２
2015209741.tif 000002
【特許請求の範囲】
【請求項１】
踏板と該踏板が設けられる枠部材とから成り、適宜な構造物に吊下部材を介して吊下げられた前記枠部材同士を連続的に連設して所定範囲に吊足場を形成する吊足場形成部材であって、前記枠部材の連設方向一端側にはクランプ部が、前記枠部材の連設方向他端側には被クランプ部が設けられ、隣接する前記各枠部材の前記被クランプ部を前記クランプ部で挟持固定することで前記枠部材同士を連結固定し得るように構成したことを特徴とする吊足場形成部材。
【請求項２】
請求項１記載の吊足場形成部材において、前記クランプ部は、前記被クランプ部を受ける受け凹部を有する基体と、この基体に設けられ前記受け凹部内に突出する突出体と、この突出体の突出量に応じて前記被クランプ部を受け凹部の内面に押し付ける押付体とを有する構成であることを特徴とする吊足場形成部材。
【請求項３】
請求項２記載の吊足場形成部材において、前記突出体は、前記基体に螺合連結され、螺動により前記受け凹部内への突出量を調整可能に設けられていることを特徴とする吊足場形成部材。
【請求項４】
請求項２，３いずれか１項に記載の吊足場形成部材において、前記被クランプ部は軸部であり、この軸部を回動不能状態で挟持固定するように前記クランプ部が構成されていることを特徴とする吊足場形成部材。
【請求項５】
請求項４記載の吊足場形成部材において、前記枠部材は、左右側部と前後部とで構成される方形枠部材であり、前記一方の前後部が前記軸部に設定されていることを特徴とする吊足場形成部材。
【請求項６】
請求項１〜５いずれか１項に記載の吊足場形成部材において、前記枠部材には桟部が設けられていることを特徴とする吊足場形成部材。
【請求項７】
請求項６記載の吊足場形成部材において、前記基体の上面と前記桟部の上面とは面一となるように設けられており、前記踏板は前記基体の上面及び前記桟部の上面で支持されることを特徴とする吊足場形成部材。
【発明の詳細な説明】
【技術分野】
【０００１】
本発明は、吊足場形成部材に関するものである。
【背景技術】
【０００２】
従来から、高速道路や橋梁等の橋桁の点検や補修作業等を行う際、この橋桁に吊りチェーン等により吊下げられる例えば特許文献１に開示されるような吊足場が用いられている。
【先行技術文献】
【特許文献】
【０００３】
【特許文献１】特許第２９２３２００号公報
【発明の概要】
【発明が解決しようとする課題】
【０００４】
本発明は、従来の吊足場に更なる改良を加えたもので、吊足場上に段差を形成することなく隣接する枠部材同士を確実に固定でき、しかも、枠部材同士を固定連結できるために水平な吊足場だけでなく、例えば橋桁の傾斜度合いに合せて傾斜させた吊足場を形成することも可能な安定的で極めて実用性に秀れた吊足場形成部材を提供するものである。
【課題を解決するための手段】
【０００５】
本発明の要旨を説明する。
【０００６】
踏板１と該踏板１が設けられる枠部材２とから成り、適宜な構造物に吊下部材を介して吊下げられた前記枠部材２同士を連続的に連設して所定範囲に吊足場を形成する吊足場形成部材であって、前記枠部材２の連設方向一端側にはクランプ部４が、前記枠部材２の連設方向他端側には被クランプ部３が設けられ、隣接する前記各枠部材２の前記被クランプ部３を前記クランプ部４で挟持固定することで前記枠部材２同士を連結固定し得るように構成したことを特徴とする吊足場形成部材に係るものである。
【０００７】
また、請求項１記載の吊足場形成部材において、前記クランプ部４は、前記被クランプ部３を受ける受け凹部５を有する基体６と、この基体６に設けられ前記受け凹部５内に突出する突出体７と、この突出体７の突出量に応じて前記被クランプ部３を受け凹部５の内面に押し付ける押付体８とを有する構成であることを特徴とする吊足場形成部材に係るものである。
【０００８】
また、請求項２記載の吊足場形成部材において、前記突出体７は、前記基体６に螺合連結され、螺動により前記受け凹部５内への突出量を調整可能に設けられていることを特徴とする吊足場形成部材に係るものである。
【０００９】
また、請求項２，３いずれか１項に記載の吊足場形成部材において、前記被クランプ部３は軸部３であり、この軸部３を回動不能状態で挟持固定するように前記クランプ部４が構成されていることを特徴とする吊足場形成部材に係るものである。
【００１０】
また、請求項４記載の吊足場形成部材において、前記枠部材２は、左右側部と前後部とで構成される方形枠部材２であり、前記一方の前後部が前記軸部３に設定されていることを特徴とする吊足場形成部材に係るものである。
【００１１】
また、請求項１〜５いずれか１項に記載の吊足場形成部材において、前記枠部材２には桟部13が設けられていることを特徴とする吊足場形成部材に係るものである。
【００１２】
また、請求項６記載の吊足場形成部材において、前記基体６の上面と前記桟部13の上面とは面一となるように設けられており、前記踏板１は前記基体６の上面及び前記桟部13の上面で支持されることを特徴とする吊足場形成部材に係るものである。
【発明の効果】
【００１３】
本発明は上述のように構成したから、隣接する枠部材同士を確実に固定でき、しかも、枠部材同士を固定連結できるために水平な吊足場だけでなく、例えば橋桁の傾斜度合いに合せて傾斜させた吊足場を形成することも可能な安定的で極めて実用性に秀れた吊足場形成部材となる。
【図面の簡単な説明】
【００１４】
【図１】本実施例の概略説明斜視図である。
【図２】本実施例の拡大概略説明斜視図である。
【図３】本実施例の拡大概略説明側断面図である。
【図４】本実施例の拡大概略説明側断面図である。
【発明を実施するための形態】
【００１５】
好適と考える本発明の実施形態を、図面に基づいて本発明の作用を示して簡単に説明する。
【００１６】
枠部材２同士を連結する際、隣接する一の枠部材２のクランプ部４により、このクランプ部４に係止される他の枠部材２の被クランプ部３を挟持固定するから、隣接する枠部材２同士は確実に連結固定される。
【００１７】
従って、本発明により形成された吊足場は、振動や外力によっても安定的に維持されるのは勿論、吊足場の上面に段差を形成するような追加固定部材等が不要となる。また、隣接する枠部材２同士を傾斜させた状態で連結固定することで、クランプ部４による挟持固定により傾斜状態を維持し、吊足場全体を、例えば橋桁の傾斜状態に合わせて傾斜するように形成することも可能となる。
【００１８】
また、クランプ部により、枠部材２を固定して立てた状態を維持できる。従って、例えば、既設の枠部材に対して水平にする前に、枠部材２を立てた状態で仮固定し、可及的に既設側に近い位置で安定して枠部材に吊下部材を取り付けることができるなど、作業性にも秀れたものとなる。
【実施例】
【００１９】
本発明の具体的な実施例について図面に基づいて説明する。
【００２０】
本実施例は、踏板１と該踏板１が設けられる枠部材２とから成り、適宜な構造物に吊下部材を介して吊下げられた前記枠部材２同士を連続的に連設して所定範囲に吊足場を形成する吊足場形成部材であって、前記枠部材２の連設方向一端側にはクランプ部４が、前記枠部材２の連設方向他端側には被クランプ部３が設けられ、隣接する前記各枠部材２の前記被クランプ部３を前記クランプ部４で挟持固定することで前記枠部材２同士を連結固定し得るように構成したものである。
【００２１】
具体的には、本実施例は、一端側が、例えば橋梁の橋桁の下面に固定された吊りチェーン９や吊りワイヤ等の吊下部材の、他端側に係止されることで吊下げられるものであり、図１に図示したように、例えば橋桁の長手方向（若しくは長手方向と直交する方向またはその双方）に並設（連設）して所定範囲に吊足場を形成するものである。
【００２２】
各部を具体的に説明する。
【００２３】
枠部材２は方形で金属製（例えばステンレス鋼製）であり、図２に図示したように、中央板部10と側板部11とで構成される平面視コ字状の板枠部12と、この板枠部12の側板部11の遊離端部間に架設される丸棒状の軸部３と、板枠部12の中央板部10及び軸部３間に架設される桟部13とで構成されている（側板部11・11が請求項５の左右側部、中央板部10及び軸部３が請求項５の前後部である。）。この桟部13上に金属製（例えばアルミニウム製）の踏板１が敷設される。
【００２４】
また、板枠部12の中央板部10にはクランプ部４が溶接等適宜な固定手段により固定状態に設けられている。このクランプ部４は中央板部10の長手方向に所定間隔で複数（本実施例では３つ）設けられている。クランプ部４は、被クランプ部３としての前記軸部３を受ける受け凹部５を有する前記中央板部10に固定される基体６と、この基体６に設けられ受け凹部５内に突出する突出体７と、この突出体７の突出量に応じて被クランプ部３（軸部３）を受け凹部５の内面に押し付ける押付体８を有する構成としている（図３，４参照）。
【００２５】
具体的には、前記突出体７は、上部に開口する略Ｕ字状の受け凹部５を有する基体６に螺合連結され、螺動により受け凹部５内への突出量を調整可能に設けられているボルト部材７である。このボルト部材７は、頭部と尾部とから成り、基体６にして前記板枠部12の中央板部10への取付面と対向する先端面に設けた螺子孔14に尾部が螺合されている。図中、符号17は尾部の途中部に螺合される突出量調整用のナット部材である。
【００２６】
このボルト部材７の尾部の先端は、基体６に回動自在に連結された爪部材８により構成される押付体８の背面に当接し、図４に図示したように、突出に応じて押付体８を軸部３を押し付ける方向に回動させるように構成されている。
【００２７】
爪部材８は軸部３に当接する正面が断面視凹湾曲面に設定され、爪部材８に対向する受け凹部５の開口縁部に設けた内方に突出する返し部15と前記凹湾曲面とで軸部３を回動不能状態で強固に挟持固定し得るように構成している。
【００２８】
また、基体６の上面は桟部13の上面と面一となるように高さ位置を揃えて、（当該基体６の前記受け凹部５で前記軸部３が受けられる）踏板１を桟部13の上面と共に基体６の上面でも支持できるように構成されている。従って、クランプ部４上にも踏板１が敷設されることになり、枠部材２間の隙間は可及的に狭くなる。
【００２９】
なお、踏板１は枠部材２を設置した後で敷設しても良いし、予め枠部材２に一体化させた状態としても良い。また、踏板１は枠部材２に固定ネジや環状の締付固定用バンド等、適宜な固定手段で固定する。
【００３０】
また、枠部材２には、その側面に吊りチェーン９等の吊下部材が係止する環状の係止部材16が設けられている。
【００３１】
従って、以上の構成の枠部材２（及び踏板１）を、吊りチェーン９等の吊下部材により吊下げ、並設方向側に次の枠部材２をその軸部３を前の枠部材２の基体６の受け凹部５に嵌合させ、一旦クランプ部４により仮固定して枠部材２を立てた状態で吊下部材を係止部材16に取り付けた後、仮固定を解除して前の枠部材２と水平となるようにし、水平とした状態でボルト部材７を螺動突出させて爪部材８により挟持固定（本固定）し、吊下部材による高さ調整等を行い、順次枠部材２を連結することを繰り返して吊足場を形成することが可能となる。
【００３２】
本実施例は上述のように構成したから、枠部材２同士を連結する際、隣接する一の枠部材２のクランプ部４により、このクランプ部４に係止される他の枠部材２の被クランプ部３を挟持固定することで、隣接する枠部材２同士は確実に連結固定される。
【００３３】
従って、振動や外力によっても安定的に維持されるのは勿論、吊足場の上面に段差を形成するような追加固定部材等が不要となる。また、隣接する枠部材２同士を傾斜させた状態で連結固定することで、クランプ部４による挟持固定により傾斜状態を維持し、吊足場全体を、例えば橋桁の傾斜状態に合わせて傾斜するように形成することも可能となる。
【００３４】
よって、本実施例は、隣接する枠部材同士を確実に固定でき、しかも、枠部材同士を固定連結できるために水平な吊足場だけでなく、例えば橋桁の傾斜度合いに合せて傾斜させた吊足場を形成することも可能な安定的で極めて実用性に秀れたものとなる。
【符号の説明】
【００３５】
１  踏板
２  枠部材
３  被クランプ部（軸部）
４  クランプ部
５  受け凹部
６  基体
７  突出体
８  押付体
13  桟部
【図１】
2015209741.tif 000003
【図２】
2015209741.tif 000004
【図３】
2015209741.tif 000005
【図４】
2015209741.tif 000006